(57)【要約】【課題】定格電力の異なる放電灯を、直流電源回路の出力電圧や共振回路のコンデンサの容量に制約を受けずに使用できる。また、予熱過剰によりランプが短寿命になることや不必要な電力損失が生じない。しかも、予熱のために部品点数が増加することは無い。【解決手段】直流電源回路４にインバータ回路１０を接続し、インバータ回路のＭＯＳ型ＦＥＴ１２に、バラスト用の第２のインダクタ１５及び共振用コンデンサ１６の直列回路を並列に接続するとともに共振用コンデンサに放電灯１７を並列に接続して共振回路を形成する。第２のインダクタ１５の２次側に１対の予熱巻線１８ａ、１８ｂを添設し、一方の予熱巻線１８ａを放電灯の一方のフィラメント１７ａに接続し、他方の予熱巻線１８ｂを放電灯の他方のフィラメント１７ｂに接続して予熱回路を形成する。インバータ回路の発振周波数を共振回路の無負荷時の共振周波数近傍に設定する。【選択図】      図１
2005310755.tif 000002
【特許請求の範囲】
【請求項１】
直流電源回路と；
直流電源回路に接続される１個以上のスイッチング素子を有するインバータ回路と；
前記スイッチング素子に接続される、インダクタ、放電灯および放電灯のフィラメントに流れる電流を介さずに設けられるコンデンサを含む共振回路と；
前記インダクタの２次側に予熱巻線を磁気結合させ、この予熱巻線を前記放電灯のフィラメントに接続することによりこのフィラメントに予熱電流を通電する予熱回路と；
定格電力の異なる放電灯を点灯させた場合において当該放電灯に流れるランプ電流を略一定とするように前記共振回路の無負荷時の共振周波数と略同一の点灯周波数で前記インバータ回路を動作させる制御手段と；
を具備することを特徴とする放電灯点灯装置。
【請求項２】
直流電源回路と；
直流電源回路に接続される１個以上のスイッチング素子を有するインバータ回路と；
前記スイッチング素子に接続される、インダクタ、放電灯および放電灯のフィラメントに流れる電流を介さずに設けられるコンデンサを含む共振回路と；
前記インダクタの２次側に予熱巻線を磁気結合させ、この予熱巻線を前記放電灯のフィラメントに接続することによりこのフィラメントに予熱電流を通電する予熱回路と；
定格電力の異なる放電灯を点灯させた場合において当該放電灯に流れるランプ電流を略一定とするように前記共振回路の無負荷時の共振周波数と略同一の点灯周波数で前記インバータ回路を動作させる制御手段と；
を具備し、
前記定格電力の異なる放電灯群の中で一番低いランプ電圧に対する一番高いランプ電圧の比と、両者の各予熱電流量の比とを比較したときに予熱電流量の比が小さくなるように構成したことを特徴とする放電灯点灯装置。
【請求項３】
直流電源回路と；
直流電源回路に接続される１個以上のスイッチング素子を有するインバータ回路と；
前記スイッチング素子に接続される、インダクタ、放電灯および放電灯のフィラメントに流れる電流を介さずに設けられるコンデンサを含む共振回路と；
前記インダクタの２次側に予熱巻線を磁気結合させ、この予熱巻線を前記放電灯のフィラメントに接続することによりこのフィラメントに予熱電流を通電する予熱回路と；
前記放電灯に流れるランプ電流を直接的又は間接的に検出する検出手段と；
定格電力の異なる放電灯を点灯させた場合において当該放電灯に流れるランプ電流を略一定とするように前記検出手段の検出出力に応じて前記インバータ回路を動作させる制御手段と；
を具備することを特徴とする放電灯点灯装置。
【請求項４】
請求項１乃至３のいずれか１記載の放電灯点灯装置において、さらに、放電灯の点灯後は予熱回路に流れる電流を少なくするか遮断する電流制御手段を具備することを特徴とする放電灯点灯装置。
【請求項５】
請求項１乃至４のいずれか１記載の放電灯点灯装置と；
この放電灯点灯装置を組み込んだ照明器具と；
を具備することを特徴とする照明装置。
【発明の詳細な説明】
【技術分野】
【０００１】
本発明は、定格ランプ電力が異なる複数種類の放電灯を点灯できる放電灯点灯装置およびこの放電灯点灯装置を備えた照明装置に関する。
【背景技術】
【０００２】
従来、この種の放電灯点灯装置としては、直流電源回路の出力端子間に直列接続されて高周波で交互にオン、オフする１対のスイッチング素子を設けたインバータ回路と、各スイッチング素子のいずれか一方に並列に接続され、少なくとも１つのインダクタ、コンデンサ並びに放電灯からなる共振回路とを備え、共振回路のコンデンサが放電灯のフィラメントを介して放電灯と並列に接続され、放電灯が始動点灯するまでの所定の予熱時間にインバータ回路から放電灯のフィラメントに予熱電流を供給し、所定の全光束となるランプ電流が略一定である定格電力の異なる複数種類の蛍光灯からなる放電灯に対して、定常点灯時には放電灯の種類に関係なく共振回路の無負荷時の共振周波数近傍に設定された第１の周波数でインバータ回路を動作させ、直流電源回路の出力電圧を使用される放電灯の種類に関わらず３２０Ｖ〜４４０Ｖの範囲の任意の値としたものが知られている（例えば、特許文献１等）。  
また、変形ハーフブリッジ形インバータ回路の中点、すなわち、直列接続された１対のスイッチング素子の一方のスイッチング素子に、直流カット用コンデンサを介して予熱トランスとコンデンサの直列回路を並列に接続し、予熱トランスに２次巻線として２個の予熱巻線を備え、この各予熱巻線で放電灯のフィラメントの予熱を行うものが知られている（例えば、特許文献２等）。
【特許文献１】特開２００２−１１７９９６号公報
【特許文献２】特開２００３−１６８５８４号公報
【発明の開示】
【発明が解決しようとする課題】
【０００３】
しかしながら、特許文献１記載のものは、共振回路のコンデンサを介して予熱電流を流すため、予熱電流量はランプ電圧、インバータ回路の動作周波数および共振コンデンサの容量によって決まることになる。そのため、放電灯の寿命を悪化させないためには予熱電流を適量にしなければならない制約がある。  
また、ランプ電圧が２倍以上になるランプが装着された場合は、フィラメントに流れる電流がランプ電圧に比例して２倍となり、一番ランプ電圧の低いランプで予熱量を設計した場合、ランプ電圧が高いランプでは予熱電流が約２倍となるため予熱過剰によりランプが短寿命になることや不必要な電力損失が生じ、また、ランプ電圧の高いランプで予熱量を設計した場合、ランプ電圧が低いランプでは予熱不足になるという問題があった。
【０００４】
このように、コンデンサ予熱方式では、定格電力の異なる複数種類の放電灯に適用しようとすると、直流電源回路の出力電圧ＶDCと共振回路のコンデンサ容量に一定の制約が生じ、また、放電灯に点灯中に流れる予熱電流量がランプ電圧に直接依存するため、予熱過剰や予熱不足という問題があった。  
また、特許文献２記載のものは、予熱回路を形成するために専用の予熱トランスやコンデンサを使用することになり、使用する部品点数が増え、構成が複雑化する問題があった。
【０００５】
本発明は、定格電力の異なる複数種類の放電灯に適用するものにおいて、回路設計するうえで直流電源回路の出力電圧や共振回路のコンデンサの容量に制約が生じることはなく、また、定格電力の異なる複数種類の放電灯を使用しても予熱過剰や予熱不足などの問題が生じることはなく、さらに、予熱のために使用する部品点数が増加することがない放電灯点灯装置およびこの放電灯点灯装置を備えた照明装置を提供する。
【課題を解決するための手段】
【０００６】
請求項１記載の発明は、直流電源回路と、直流電源回路に接続される１個以上のスイッチング素子を有するインバータ回路と、スイッチング素子に接続される、インダクタ、放電灯および放電灯のフィラメントに流れる電流を介さずに設けられるコンデンサを含む共振回路と、インダクタの２次側に予熱巻線を磁気結合させ、この予熱巻線を放電灯のフィラメントに接続することによりこのフィラメントに予熱電流を通電する予熱回路と、定格電力の異なる放電灯を点灯させた場合において当該放電灯に流れるランプ電流を略一定とするように共振回路の無負荷時の共振周波数と略同一の点灯周波数でインバータ回路を動作させる制御手段とを具備する放電灯点灯装置にある。
【０００７】
この装置では、共振回路のコンデンサに流れる電流は放電灯のフィラメントには流れないため、回路設計するうえで直流電源回路の出力電圧や共振回路のコンデンサの容量に制約が生じることはない。また、共振回路のインダクタに発生する電圧は定格電力の異なる放電灯を使用してもランプ電圧の変化に比べて変化が小さいため、定格電力の異なる放電灯を使用した場合において、ランプ電圧が変化しても予熱電流に与える影響をコンデンサ予熱方式に比べて小さくでき、予熱過剰や予熱不足などの問題が生じる虞はない。
【０００８】
請求項２記載の発明は、さらに、定格電力の異なる放電灯群の中で一番低いランプ電圧に対する一番高いランプ電圧の比と、両者の各予熱電流量の比とを比較したときに予熱電流量の比が小さくなるように構成した放電灯点灯装置にある。
【０００９】
請求項３記載の発明は、さらに、放電灯に流れるランプ電流を直接的又は間接的に検出する検出手段と、定格電力の異なる放電灯を点灯させた場合において当該放電灯に流れるランプ電流を略一定とするように検出手段の検出出力に応じてインバータ回路を動作させる制御手段とを具備する放電灯点灯装置にある。
【００１０】
請求項４記載の発明は、請求項１乃至３のいずれか１記載の放電灯点灯装置において、さらに、放電灯の点灯後は予熱回路に流れる電流を少なくするか遮断する電流制御手段を具備するものにある。  
請求項５記載の発明は、請求項１乃至４のいずれか１記載の放電灯点灯装置と、この放電灯点灯装置を組み込んだ照明器具とを具備する照明装置にある。
【発明の効果】
【００１１】
請求項１乃至４記載の発明によれば、定格電力の異なる複数種類の放電灯に適用するものにおいて、回路設計するうえで直流電源回路の出力電圧や共振回路のコンデンサの容量に制約が生じることはなく、また、定格電力の異なる複数種類の放電灯を使用しても予熱過剰や予熱不足などの問題が生じることはなく、従って、予熱過剰によりランプが短寿命になることや不必要な電力損失が生じることがなく、さらに、予熱のために使用する部品点数が増加することがない放電灯点灯装置を提供できる。
【００１２】
請求項４記載の発明によれば、さらに、ランプ電圧の変化が予熱電流に与える影響を殆ど無くすことができ、放電灯点灯時にフィラメントに無駄な予熱電流が流れるのを確実に防止できる放電灯点灯装置を提供できる。
【００１３】
請求項５記載の発明によれば、定格電力の異なる複数種類の放電灯に適用するものにおいて、回路設計するうえで直流電源回路の出力電圧や共振回路のコンデンサの容量に制約が生じることはなく、また、定格電力の異なる複数種類の放電灯を使用しても予熱過剰や予熱不足などの問題が生じることはなく、さらに、予熱のために使用する部品点数が増加することがない放電灯点灯装置を使用した照明装置を提供できる。
【発明を実施するための最良の形態】
【００１４】
以下、本発明の実施の形態を、図面を参照して説明する。  
先ず、インバータ回路の発振周波数を共振回路の無負荷時の共振周波数近傍に固定した実施の形態について述べる。
【００１５】
（第１の実施の形態）
図１に示すように、交流電源１にダイオードブリッジからなる全波整流器２の入力端子を接続し、この全波整流器２の出力端子にコンデンサ３を並列に接続している。
【００１６】
また、前記全波整流器２の出力端子に、昇圧チョッパ回路からなる直流電源回路４を接続している。前記直流電源回路４は、全波整流器２の出力端子にチョッパ用の第１のインダクタ５を介してスイッチング素子である第１のＭＯＳ型ＦＥＴ（電界効果トランジスタ）６を並列に接続し、この第１のＭＯＳ型ＦＥＴ６にダイオード７を順極性に介して平滑コンデンサ８を並列に接続してなり、前記全波整流器２から出力される脈流電圧を所望の直流電圧に変換している。前記第１のＭＯＳ型ＦＥＴ６をチョッパ制御部９によってスイッチング制御するようになっている。
【００１７】
前記直流電源回路４の出力端子、すなわち、前記平滑コンデンサ８にインバータ回路１０を接続している。前記インバータ回路１０は、１対のスイッチング素子として、第２、第３のＭＯＳ型ＦＥＴ１１、１２を備え、この各ＭＯＳ型ＦＥＴ１１、１２の直列回路を前記平滑コンデンサ８に並列に接続している。前記各ＭＯＳ型ＦＥＴ１１、１２を、制御手段を構成するインバータ制御部１３によって一定周波数の高周波によって交互にオン、オフ制御するようになっている。
【００１８】
そして、前記インバータ回路１０の第３のＭＯＳ型ＦＥＴ１２に、直流カット用コンデンサ１４、バラスト用の第２のインダクタ１５及び共振用コンデンサ１６の直列回路を並列に接続するとともに前記共振用コンデンサ１６に放電灯１７のフィラメント１７ａ，１７ｂの一端を並列に接続して共振回路を形成している。
【００１９】
前記第２のインダクタ１５の２次側に１対の予熱巻線１８ａ、１８ｂを添設し、一方の予熱巻線１８ａを前記放電灯１７の一方のフィラメント１７ａに接続し、他方の予熱巻線１８ｂを前記放電灯１７の他方のフィラメント１７ｂに接続して予熱回路を形成している。  
前記インバータ制御部１３が各ＭＯＳ型ＦＥＴ１１、１２をオン、オフ制御するときの周波数は、前記共振回路の無負荷時の共振周波数近傍に設定されている。
【００２０】
このような構成においては、交流電源１を投入すると、全波整流器２から脈流電圧が出力し直流電源回路４に供給される。直流電源回路４ではチョッパ制御部９によって第１のＭＯＳ型ＦＥＴ６がスイッチング制御され、ＦＥＴ６がオンのときに第１のインダクタ５にエネルギーが蓄積され、この蓄積されたエネルギーがＦＥＴ６のオフのときにダイオード７を介して放出され平滑コンデンサ８を充電する。こうして、平滑コンデンサ８から所望の直流電圧が出力されてインバータ回路１０に供給される。
【００２１】
インバータ回路１０ではインバータ制御部１３によってＭＯＳ型ＦＥＴ１１、１２が共振回路における無負荷時の共振周波数近傍の周波数でオン、オフ制御される。そして、第３のＭＯＳ型ＦＥＴ１２の両端間に矩形波の高周波電圧が発生し共振回路に印加される。これにより、第２のインダクタ１５に印加される電圧が変化し、予熱巻線１８ａ，１８ｂに所定の電圧が発生し、これにより、放電灯１７の各フィラメント１７ａ，１７ｂに予熱電流が流れる。
【００２２】
放電灯１７が点灯する前は、放電灯１７の各フィラメント１７ａ，１７ｂ間に高電圧が印加され、各フィラメント１７ａ，１７ｂを予熱する。予熱後始動電圧により放電灯１７は点灯する。そして、放電灯１７が点灯を開始すると放電灯１７の各フィラメント１７ａ，１７ｂ間に印加する電圧が低下する。こうして、放電灯１７には一定の定格ランプ電流が流れ、これにより点灯を維持することになる。また、各予熱巻線１８ａ，１８ｂに発生する電圧も低下し、予熱回路に流れる電流が低く抑えられる。
【００２３】
この装置においては、放電灯１７として、ランプ電流が同一で定格ランプ電力が異なる、Ｈ型ランプＦＨＴ２４、ＦＨＴ３２、ＦＨＴ４２等の使用が可能となる。このような定格ランプ電力が異なる放電灯を使用してもインバータ回路１０の発振周波数を、共振回路の無負荷時の共振周波数近傍と略同一の周波数とすれば、無負荷時のインバータ出力電圧は高くなるから、インバータの負荷カーブは略定電流特性となるため、ランプ電流を一定に制御することができる。
【００２４】
また、定格ランプ電力が異なる放電灯を使用した場合には、点灯時のランプ電圧は異なる。コンデンサ予熱方式の場合は、ランプ電圧の変化がそのまま予熱電流の変化になって現れる。しかし、点灯時のランプ電圧が変化しても第２のインダクタ１５に発生する電圧はその変化に比例して変化することは無く、変化は小さい。このため、定格ランプ電力の異なる放電灯を使用しても、コンデンサ予熱方式に比べて点灯中に予熱回路に流れる電流が大きく変化することはない。
【００２５】
例えば、直流電源回路４からの出力電圧Ｖdcを４１０Ｖ、第２のインダクタ１５のインダクタンスを１．３５ｍＨ、共振用コンデンサ１６のキャパシタを３３００ｐＦ、点灯周波数を７７ｋＨｚとした場合、ＦＨＴ２４Ｗの蛍光ランプではランプ電流が約２８５ｍＡで、ランプ電圧が約７０Ｖになる。また、ＦＨＴ４２Ｗの蛍光ランプではランプ電流はＦＨＴ２４Ｗと略等しく、ランプ電圧が約１４０Ｖになる。また、このとき、第２のインダクタ１５に発生する電圧はＦＨＴ２４Ｗで約２００Ｖ、ＦＨＴ４２Ｗで約２４０Ｖになる。すなわち、ランプ電圧が２倍になっても第２のインダクタ１５に発生する電圧は１／６程度しか増加しない。このように、ランプ電流を略一定に制御できる定格電力の一番低い電圧と一番高い電圧の比に対して、両者の予熱電流量の比を小さくできる。  
これに対し、コンデンサ予熱方式では、予熱量が２πｆ×ランプ電圧となるため、ランプ電圧が２倍になると予熱電流も２倍になる。
【００２６】
このように、第２のインダクタ１５に発生する電圧によって予熱電流を発生させることで、定格ランプ電力の小さい放電灯から定格電力の大きな放電灯に切替えてもフィラメント１７ａ，１７ｂに大きな予熱電流が流れることは無い。これにより、予熱電流による電力損失を低減でき、また、過剰なランプ電流によってランプ寿命が短くなるのを防止できる。
【００２７】
また、共振回路の共振電流を予熱電流としていないので、予熱電流が共振用コンデンサ１６に流れることはない。従って、回路設計するうえで直流電源回路４からの出力電圧や共振用コンデンサ１６の容量が制約を受けることはなく、回路設計が容易になる。  
また、第２のインダクタ１５は装置に必要な共振回路を形成するものであり、予熱するために専用に使用するものでない。従って、第２のインダクタ１５の２次側に１対の予熱巻線１８ａ、１８ｂを添設しても、本来必要な部品を利用して予熱回路を構成することになるので予熱のために使用する部品点数が増加することはない。従って、使用する部品点数が増えて構成が複雑化することはない。
【００２８】
（第２の実施の形態）
なお、前述した実施の形態と同一の部分には同一の符号を付し、詳細な説明は省略する。  
図２に示すように、ランプ電流を検出するカレントトランス２１及び電流遮断回路２２を新たに設けるとともに予熱回路に開閉スイッチ２３、２４を挿入している。その他については、前述した実施の形態と同じである。
【００２９】
すなわち、前記カレントトランス２１の１次巻線を共振回路中に直列に介挿し、２次巻線に発生する電圧を前記電流遮断回路２２に供給するようにしている。また、予熱巻線１８ａと放電灯１７の一方のフィラメント１７ａとからなる予熱回路に前記開閉スイッチ２３を直列に介挿するとともに予熱巻線１８ｂと放電灯１７の他方のフィラメント１７ｂとからなる予熱回路に前記開閉スイッチ２４を直列に介挿している。
【００３０】
前記電流遮断回路２２は、前記各開閉スイッチ２３、２４を開閉制御する。すなわち、カレントトランス２１に流れる電流は予熱時と点灯時とでは異なり、電流遮断回路２２がその変化量を見て開閉スイッチ２３、２４を制御する。
【００３１】
この構成においては、電源が投入されてから放電灯１７が始動点灯するまでは各開閉スイッチ２３、２４が閉成しているので、予熱回路には予熱電流が流れる。そして、放電灯１７が点灯して放電灯１７にランプ電流が流れるようになると、カレントトランス２１がそれを検出し、電流遮断回路２２により各開閉スイッチ２３、２４が開放される。こうして、放電灯１７の点灯中には予熱回路に流れる電流は遮断される。
【００３２】
従って、定格ランプ電力の異なる放電灯のいずれに対しても点灯中において予熱電流を確実に遮断することができる。なお、この実施の形態においても、定格電力の異なる複数種類の放電灯に適用するものにおいて、回路設計するうえで直流電源回路の出力電圧や共振回路のコンデンサの容量に制約が生じないこと、定格電力の異なる複数種類の放電灯を使用しても予熱過剰や予熱不足などの問題が生じることはなく、従って、予熱過剰によりランプが短寿命になることや不必要な電力損失が生じないこと、および予熱のために使用する部品点数が増加しないことについては、前述した第１の実施の形態と同様の作用効果を奏するものである。
【００３３】
次に、放電灯に流れるランプ電流を直接的或いは間接的に検出してランプ電流が一定になるようにインバータ回路の発振周波数を制御する実施の形態について述べる。  
（第３の実施の形態）
なお、前述した実施の形態と同一の部分には同一の符号を付し、詳細な説明は省略する。  
図３に示すように、予熱回路の構成は第１の実施の形態と同じである。放電灯１７の他方のフィラメント１７ｂと共振用コンデンサ１６の他端との間にカレントトランス２１の１次巻線を直列に介挿し、２次巻線をダイオードブリッジからなる全波整流器２５の入力端子に接続している。そして、この全波整流器２５の出力端子に抵抗２６とコンデンサ２７を並列に接続し、この抵抗２６とコンデンサ２７の並列回路から、前記カレントトランス２１が検出したランプ電流を直流の電圧値として制御ＩＣ回路２８に供給している。
【００３４】
前記制御ＩＣ回路２８は、インバータ回路１０における第２、第３のＭＯＳ型ＦＥＴ１１、１２を交互に高周波スイッチング制御するとともに前記抵抗２６とコンデンサ２７の並列回路からの電圧値に応じてスイッチング周波数を可変してランプ電流が一定になるように制御する。
【００３５】
一方、インバータ回路１０における第２、第３のＭＯＳ型ＦＥＴ１１、１２の接続点を、コンデンサ３１を介してダイオード３２のカソードに接続するとともにダイオード３３を順極性に介して定電圧ダイオード３４のカソードに接続している。また、前記第３のＭＯＳ型ＦＥＴ１２のソース端子を前記ダイオード３２のアノード及び前記定電圧ダイオード３４のアノードに接続している。そして、前記定電圧ダイオード３４に平滑コンデンサ３５を並列に接続し、この平滑コンデンサ３５の両端間に出力する電圧を前記制御ＩＣ回路２８に電源電圧として供給するようになっている。
【００３６】
このような構成においては、放電灯１７が点灯すると放電灯１７に大きなランプ電流が流れる。このランプ電流をカレントトランス２１が検出し、２次巻線に電圧が発生する。この電圧が全波整流器２５で全波整流され、抵抗２６とコンデンサ２７の並列回路に直流の電圧が発生する。
【００３７】
制御ＩＣ回路２８は、この直流の電圧を入力し、その電圧値によってインバータ回路１０の各ＭＯＳ型ＦＥＴ１１，１２のスイッチング周波数を、一定のランプ電流が流れるように制御する。このように、インバータ回路１０の発振周波数を制御することでランプ電流を一定に制御することができる。従って、この場合も放電灯１７としてはランプ電流が同一で定格ランプ電力が異なるＨ型ランプＦＨＴ２４、ＦＨＴ３２、ＦＨＴ４２等の使用が可能となる。
【００３８】
なお、この装置においても、定格電力の異なる複数種類の放電灯に適用するものにおいて、回路設計するうえで直流電源回路の出力電圧や共振回路のコンデンサの容量に制約が生じないこと、定格電力の異なる複数種類の放電灯を使用しても予熱過剰や予熱不足などの問題が生じることはなく、従って、予熱過剰によりランプが短寿命になることや不必要な電力損失が生じないこと、および予熱のために使用する部品点数が増加しないことについては、前述した第１の実施の形態と同様の作用効果を奏するものである。  
なお、この実施の形態においても、図２に示すように電流遮断回路を設け、この電流遮断回路によって放電灯の点灯中は予熱回路に介挿された開閉スイッチを開放して電流を遮断することはできる。
【００３９】
（第４の実施の形態）
この実施の形態は放電灯点灯装置を組み込んだ照明装置について述べる。  
図４に示すように、放電灯点灯装置１００を照明器具１０１内の中央裏面部に組み込み、この照明器具１０１の放電灯取付け面に設けたソケット１０１ａ、１０１ｂ間に放電灯１７を装填している。前記放電灯点灯装置１００の構成は、前述した第１乃至第３の実施の形態のいずれかの構成になっている。
【００４０】
このように、前述した各実施の形態に記載した放電灯点灯装置のいずれかを組み込むことでランプ電流が同一で定格ランプ電力が異なる各種の放電灯を使用することができる。また、回路設計するうえで直流電源回路の出力電圧や共振回路のコンデンサの容量に制約を受けない照明装置が実現できる。また、定格電力の異なる複数種類の放電灯を使用しても予熱過剰や予熱不足などの問題が生じることはなく、従って、予熱過剰によりランプが短寿命になることや不必要な電力損失が生じない照明装置が実現できる。しかも、予熱回路に既存のインダクタを使用するので予熱のために部品点数が増加することは無い。
【図面の簡単な説明】
【００４１】
【図１】本発明の第１の実施の形態を示す回路構成図。
【図２】本発明の第２の実施の形態を示す回路構成図。
【図３】本発明の第３の実施の形態を示す回路構成図。
【図４】本発明の第４の実施の形態に係る放電灯点灯装置を組み込んだ照明装置を示す斜視図。
【符号の説明】
【００４２】
２…全波整流器、４…直流電源回路、１０…インバータ回路、１１，１２…ＭＯＳ型ＦＥＴ、１３…インバータ制御部、１５…第２のインダクタ、１６…共振用コンデンサ、１７…放電灯、１７ａ，１７ｂ…フィラメント、１８ａ，１８ｂ…予熱巻線。
【図１】
2005310755.tif 000003
【図２】
2005310755.tif 000004
【図３】
2005310755.tif 000005
【図４】
2005310755.tif 000006